(57)【特許請求の範囲】
【請求項１】
複数の引起こし装置（２３）によって引起こした穀稈を刈取り刃（２８）によって刈取り、刈取られた穀稈を左右及び中央の穀稈掻込み搬送体（２７ｌ，２７ｒ，２７ｃ）を介して合流させた後、後部を支点に始端部が上下動する扱深さ搬送体（３０）によって脱穀機に供給するようにした３条刈りコンバインの穀稈搬送装置において、
左側穀稈掻込み搬送体（２７ｌ）を左側の株元を掻き込み搬送するスターホイル（３１ｌ）と該スターホイル（３１ｌ）後方の左側株元挟持搬送チェーン（３７ｌ）と穂先側を係止搬送する上下に配置された爪付き係止搬送チェーン（４０ｌ，４１ｌ）とで構成すると共に、夫々の爪付き係止搬送チェーン（４０ｌ，４１ｌ）を下方の伝動筒（３８）から動力を受けて回転駆動するように構成し、
右側穀稈掻込み搬送体（２７ｒ）を右側の株元を掻き込み搬送するスターホイル（３１ｒ）と該スターホイル（３１ｒ）後方の右側株元挟持搬送チェーン（３７ｒ）とで構成し、
また扱深さ搬送体（３０）を株元挟持搬送チェーン（４３）と穂先係止搬送チェーン（４４）とで構成すると共に、上記右側株元挟持搬送チェーン（３７ｒ）の終端側を前記株元挟持搬送チェーン（４３）の始端部まで延設する一方、扱深さ搬送体（３０）を構成する穂先係止搬送チェーン（４４）の始端部を右側株元挟持搬送チェーン（３７ｒ）の上方に平面視で重なる状態で前記右側のスターホイル（３１ｒ）の近傍まで延設し、該穂先係止搬送チェーン（４４）の始端部によって右側の穀稈掻込み搬送体（２７ｒ）の穂先側係止搬送機能を兼用させて、
前記中央穀稈掻込み搬送体（２７ｃ）を構成する中央のスターホイル（３１ｃ）及び、左側のスターホイル（３１ｌ）で掻き込み搬送された２条の穀稈は、上下に配置された複数の爪付き係止搬送チェーン（４０ｌ，４１ｌ）及び左側株元挟持搬送チェーン（３７ｌ）によって合流部側へ搬送する一方、右側のスターホイル（３１ｒ）で掻き込み搬送された１条の穀稈は、稈長に応じて上下する単一の穂先係止搬送チェーン（４４）の始端部及び右側株元挟持搬送チェーン（３７ｒ）によって合流部側へ搬送するように構成したことを特徴とする３条刈りコンバインの穀稈搬送装置。
【発明の詳細な説明】
【０００１】
【発明の属する技術分野】
この発明は、３条刈りコンバインの穀稈搬送装置に関するものである。
【０００２】
【従来の技術】
従来の例えば３条刈りのコンバインの穀稈搬送装置は、前処理部に刈取り部、引起こし装置および掻込み搬送体などを備え、機体本体側に扱深さ機構を備えている。すなわち、穀稈搬送装置は、例えば図３に示すようにコンバインの操縦席側から見て左側に位置する左側穀稈掻込み搬送体１ｌと、右側に位置する右側穀稈掻込み搬送体１ｒと、中央の中央穀稈掻込み搬送体１ｃと、刈取り刃２によって刈取られた穀稈がそれぞれの穀稈掻込み搬送体１ｌ，１ｃ，１ｒから合流部４を介して導かれる扱深さ搬送体３とを備えている。
【０００３】
そして、左側穀稈掻込み搬送体１ｌは、左側スターホイル５ｌと、この左側スターホイル５ｌの上側に同軸に配置される搬送ベルト６ｌとを有し、右側穀稈掻込み搬送体１ｒは、右側スターホイル５ｒと、この右側スターホイル５ｒの上側に同軸に配置される搬送ベルト６ｒとを有する。また、中央穀稈掻込み搬送体１ｃは、同様に中央スターホイル５ｃと、この中央スターホイル５ｃの上側に同軸に配置される搬送ベルト６ｃとを有する。そして、左側スターホイル５ｌと中央スターホイル５ｃとは互いに噛み合っており、左側スターホイル５ｌの回転が中央スターホイル５ｃに伝達されるようになっており、右側スターホイル５ｒは単独で回動駆動するようになっている。
【０００４】
また、左側穀稈掻込み搬送体１ｌには、前記左側スターホイル５ｌに一方側が巻回され、刈取られた穀稈の株元を掻き込む左側株元挟持搬送チェーン７ｌと、穀稈の搬送方向に沿って上下に配置され、穀稈の穂部および茎部を掻き込む爪付きチェーン８ｌ，９ｌとが備えられている。右側穀稈掻込み搬送体１ｒには、前記右側スターホイル５ｒに一方側が巻回され、刈取られた穀稈の株元を掻き込む右側株元挟持搬送チェーン７ｒと、穀稈の搬送方向に沿って上下に配置され、穀稈の穂部および茎部を掻き込む爪付き係止搬送チェーン８ｒ，９ｒとが備えられている。そして、下側の爪付き係止搬送チェーン８ｌと上側の爪付き係止搬送チェーン９ｌとの一方側は同軸のスプロケット１０ｌに巻回され、このスプロケット１０ｌが不図示の伝動軸筒内の駆動軸から動力を受けている。また、上側の爪付き係止搬送チェーン８ｒと下側の爪付き係止搬送チェーン９ｒとの一方側は同軸のスプロケット１０ｒに巻回され、このスプロケット１０ｒが不図示の伝動軸筒内の駆動軸から動力を受けている。さらに、左側株元挟持搬送チェーン７ｌの他方側が右側株元挟持搬送チェーン７ｒの他方側に接近して合流部４が形成されている。
【０００５】
扱深さ搬送体３は、扱深さの調整が可能なように機体本体側に支持され、株元搬送する株元挟持搬送チェーン１１と穂先搬送する穂先係止搬送チェーン１２とを備えたもので、右側株元挟持搬送チェーン７ｒの搬送方向先端側に対して左側株元挟持搬送チェーン７ｌの搬送方向先端が最も接近する合流部４に右側株元挟持搬送チェーン７ｒに沿って設けられている。
【０００６】
このように構成された３条刈りのコンバインの穀稈搬送装置は、引起こし装置１３によって穀稈を引起こし、刈取り刃２によって穀稈を刈取り、中央穀稈掻込み搬送体１ｃと左側穀稈掻込み搬送体１ｌとの間に２条の穀稈を掻き込む。そして、穀稈は、搬送ベルト６ｌ，６ｃによって掻き込まれ、株元挟持搬送チェーン７ｌと爪付き係止搬送チェーン８ｌ，９ｌとによって合流部３側に搬送される。また、同様に引起こし装置１３によって穀稈を引起こし、刈取り刃２によって穀稈を刈取り、右側穀稈掻込み搬送体１ｒによって１条の穀稈を掻き込む。そして、穀稈は、搬送ベルト６ｒによって掻き込まれ、株元挟持搬送チェーン７ｒと爪付き係止搬送チェーン８ｒ，９ｒとによって合流部３側に搬送される。次いで、株元挟持搬送チェーン７ｌと爪付き係止搬送チェーン８ｌ，９ｌとによって搬送された２条の穀稈は、株元挟持搬送チェーン７ｒと爪付き係止搬送チェーン８ｒ，９ｒとによって搬送された１条の穀稈と合流部３で合流され、さらに株元挟持搬送チェーン１１と穂先係止搬送チェーン１２とによって脱穀側フィードチェーン１５に向けて搬送される。
【０００７】
【発明が解決しようとする課題】
このような従来のコンバインの穀稈搬送装置において、右側の搬送ベルト６ｒによって掻き込まれた穀稈を扱深さ側株元挟持搬送チェーン１１と扱深さ側の穂先係止搬送チェーン１２とに搬送させるには、搬送ベルト６ｒによって掻き込まれた穀稈を株元挟持搬送チェーン７ｒと爪付き係止搬送チェーン８ｒ，９ｒとに引き渡ししながら合流部４に搬送されるようになっているので、穀稈の搬送乱れが生じるおそれがある。
【０００８】
この発明は、上記のような課題を解消するためになされたもので、前処理部で穀稈の搬送乱れを生じさせないようにしたコンバインの穀稈搬送装置を提供することを目的とする。
【０００９】
【課題を解決するための手段】
そこで、上記目的を達成するため、本発明の請求項１に係るコンバインの穀稈搬送装置では、複数の引起こし装置２３によって引起こした穀稈を刈取り刃２８によって刈取り、刈取られた穀稈を左右及び中央の穀稈掻込み搬送体２７ｌ，２７ｒ，２７ｃを介して合流させた後、後部を支点に始端部が上下動する扱深さ搬送体３０によって脱穀機に供給するようにした３条刈りコンバインの穀稈搬送装置において、左側穀稈掻込み搬送体２７ｌを左側の株元を掻き込み搬送するスターホイル３１ｌと該スターホイル３１ｌ後方の左側株元挟持搬送チェーン３７ｌと穂先側を係止搬送する上下に配置された爪付き係止搬送チェーン４０ｌ，４１ｌとで構成すると共に、夫々の爪付き係止搬送チェーン４０ｌ，４１ｌを下方の伝動筒３８から動力を受けて回転駆動するように構成し、右側穀稈掻込み搬送体２７ｒを右側の株元を掻き込み搬送するスターホイル３１ｒと該スターホイル３１ｒ後方の右側株元挟持搬送チェーン３７ｒとで構成し、また扱深さ搬送体３０を株元挟持搬送チェーン４３と穂先係止搬送チェーン４４とで構成すると共に、上記右側株元挟持搬送チェーン３７ｒの終端側を前記株元挟持搬送チェーン４３の始端部まで延設する一方、扱深さ搬送体３０を構成する穂先係止搬送チェーン４４の始端部を右側株元挟持搬送チェーン３７ｒの上方に平面視で重なる状態で前記右側のスターホイル３１ｒの近傍まで延設し、該穂先係止搬送チェーン４４の始端部によって右側の穀稈掻込み搬送体２７ｒの穂先側係止搬送機能を兼用させて、前記中央穀稈掻込み搬送体２７ｃを構成する中央のスターホイル３１ｃ及び、左側のスターホイル３１ｌで掻き込み搬送された２条の穀稈は、上下に配置された複数の爪付き係止搬送チェーン４０ｌ，４１ｌ及び左側株元挟持搬送チェーン３７ｌによって合流部側へ搬送する一方、右側のスターホイル３１ｒで掻き込み搬送された１条の穀稈は、稈長に応じて上下する単一の穂先係止搬送チェーン４４の始端部及び右側株元挟持搬送チェーン３７ｒによって合流部側へ搬送するように構成したことを特徴とする。
【００１１】
【発明の実施の形態】
以下、この発明の実施の形態を図面に基づいて詳細に説明する。
図１は、この発明の第１の実施の形態を示す側面図、図２は、同じくこの発明の第１の実施の形態を示す平面図である。同図において、コンバインの穀稈搬送装置は、図１に示すように前処理部２１に刈取り部２２、引起こし装置２３および詳細を後述する掻込み搬送体、扱深さ搬送体３０を備えている。
【００１２】
掻込み搬送体は、コンバインの操縦席側からみて左側に位置する左側穀稈掻込み搬送体２７ｌと、右側に位置する右側穀稈掻込み搬送体２７ｒと、中央に位置する中央穀稈掻込み搬送体２７ｃと、刈取り刃２８によって刈取られた穀稈がそれぞれの穀稈掻込み搬送体２７ｌ，２７ｃ，２７ｒから合流する合流部２９とを備えている。
【００１３】
そして、左側穀稈掻込み搬送体２７ｌは、左側の株元を掻き込み搬送するスターホイル３１ｌと、この左側スターホイル３１ｌに同軸のプーリ３２ｌ、および前処理部支持フレーム３３に回動自在に軸支されるローラ３４ｌに巻回され、左側スターホイル３１ｌより上側に配置される搬送ベルト３５ｌと、始端側が左側スターホイル３１ｌに同軸に配置されるスプロケット（不図示）に巻回され、終端側が前処理部支持フレーム３３に回動自在に軸支されるスプロケット３６ｌに巻回される株元挟持搬送体としての左側株元挟持搬送チェーン３７ｌと、伝動軸筒３８内の駆動軸（不図示）から動力を受けて回動駆動されるスプロケット３９ｌに巻回され、穀稈の茎部を掻き込む穂先側係止搬送体としての爪付き係止搬送チェーン４０ｌと、同様に前記スプロケット３９ｌに巻回され、穀稈の穂先を掻き込む穂先側係止搬送体としての爪付き係止搬送チェーン４１ｌとを備えている。
【００１４】
右側穀稈掻込み搬送体２７ｒは、右側の穀稈を掻き込み搬送するスターホイル３１ｒと、この右側スターホイル３１ｒに同軸のプーリ３２ｒ、および前処理部支持フレーム３３に回動自在に軸支されるローラ３４ｒに巻回され、右側スターホイル３１ｒより上側に配置される搬送ベルト３５ｒと、一方側がスターホイル３１ｒに同軸に配置されるスプロケット（不図示）に巻回され、他方側が後述する扱深さ搬送体３０の下方に延設される株元挟持搬送体としての右側株元挟持搬送チェーン３７ｒとを備え、右側株元挟持搬送チェーン３７ｒは、前処理部支持フレーム３３に回動自在に軸支され、伝動軸筒３８内の駆動軸から動力を受けて回動駆動するスプロケット４２で駆動される。
【００１５】
また、中央穀稈掻き込み部２７ｃは、中央の穀稈を掻き込み搬送するスターホイル３１ｃと、このスターホイル３１ｃに同軸のプーリ３２ｃ、および前処理部支持フレーム３３に回動自在に軸支されるローラ３４ｃに巻回され、スターホイル３１ｃより上側に配置される搬送ベルト３５ｃとを備え、中央のスターホイル３１ｃと左側のスターホイル３１ｌとは互いに噛み合って、左側のスターホイル３１ｌの回転が中央のスターホイル３１ｃに伝達されるようになっている。そして、上記合流部２９で、右側株元挟持搬送チェーン３７ｒの搬送面に対して左側株元挟持搬送チェーン３７ｌの搬送方向終端側が最も接近するように構成されている。
【００１６】
扱深さ搬送体３０は、その後部を扱深さの調整が可能なように機体本体２５から立設した支持部材２５ａに回動自在に支持され、株元搬送する株元挟持搬送チェーン４３と穂先搬送する穂先係止搬送体としての穂先係止搬送チェーン４４とを備えたもので、後部を支点に上下動自在の穂先係止搬送チェーン４４は、その始端部を右側の株元挟持搬送チェーン３７ｒの搬送方向始端側の上方にこれに沿って延設する。そして、穂先係止搬送チェーン４４の終端側は伝動軸ケース４８内の駆動軸から動力を受けて回動駆動するスプロケット４５に巻回され、このスプロケット４５が機体本体２５側に回動自在に軸支されている。また、株元側の挟持搬送チェーン４３は伝動軸ケース４８内の駆動軸から独立して動力を受けて回転が伝達されるようになっている。
【００１７】
なお、図１において、前処理部２１は、伝動ケース４９を介して油圧シリンダ５０によって昇降する。４６ｌ，４６ｒは、引起こし装置２３の左右の引起こしチェーン（不図示）を駆動する軸が内蔵された伝動軸ケースで、上記軸は伝動軸筒３８内の駆動軸から動力が伝達される。４６ｃは、同じく中央の引起こしチェーン（不図示）を駆動する軸が内蔵された伝動軸ケースで、上記軸は伝動軸筒３８内の駆動軸から動力が伝達される。また、図２において、４７は、株元挟持搬送チェーン４３と穂先係止搬送チェーン４４とによって扱深さ調整されながら搬送された穀稈を受け継ぎ搬送する脱穀部フィードチェーンである。
【００１８】
次に、作用について説明する。
３条刈りのコンバインの穀稈搬送装置は、引起こし装置２３によって穀稈を引起こし、刈取り刃２８によって穀稈を刈取る。刈取られた穀稈のうちの左側の穀稈と中央の穀稈とは左側穀稈掻込み搬送体２７ｌと中央穀稈掻込み搬送体２７ｃとの間に掻き込まれる。そして、これら２条の穀稈は、搬送ベルト３５ｌ，３５ｃによって掻込み搬送され、左側の株元挟持搬送チェーン３７ｌと爪付き係止搬送チェーン４０ｌ，４１ｌとによって合流部２９側に搬送される。また、同様に引起こし装置２３によって引起こされ、刈取り刃２８によって刈取られた右側の穀稈は搬送ベルト３５ｒによって掻込み搬送される。そして、この穀稈は搬送ベルト３５ｒを介して株元挟持搬送チェーン３７ｒおよび右側穀稈の穂先側を搬送する機能を有する穂先係止搬送チェーン４４に搬送され、この株元挟持搬送チェーン３７ｒによって株元を合流部２９側に搬送する。合流部２９では、左側穀稈掻込み搬送体２７ｌから搬送された２条の穀稈と右側穀稈掻込み搬送体２７ｒから搬送された１条の穀稈とを合流させ、扱深さ搬送体３０側に搬送させる。
【００１９】
この時、扱深さ搬送体３０の株元挟持搬送チェーン４３の始端部は合流部２９の近傍まで延設されているから、合流された穀稈の株元部を株元挟持搬送チェーン４３で素早く受け継ぎ、搬送乱れが少ない。そして、この扱深さ搬送体３０では、穀稈の長さに応じて扱深さを調整しながら株元挟持搬送チェーン４３によって穀稈の株元を搬送するとともに、穂先係止搬送チェーン４４によって穂先を搬送し、脱穀部フィードチェーン４７に向けて搬送するが、扱深さ搬送体３０は穀稈の長さに応じて後部支点で始端部が上下するから穂先係止搬送チェーン４４の始端部も稈長に応じて上下し、稈長が変化しても常に穀稈の適正位置を穂先係止搬送チェーン４４で受け継ぎ係止搬送する。
【００２０】
このように、左側の株元挟持搬送チェーン３７ｌに対して単独に駆動される右側の株元挟持搬送チェーン３７ｒが扱深さ搬送体３０近傍まで延設され、かつ扱深さ搬送体３０の穂先係止搬送チェーン４４が右側穀稈掻込み搬送体２７ｒのスターホイル３１ｒの近傍まで延設されているので、従来、必要としていた穀稈の穂部と茎部とを掻込み搬送する右側掻込み搬送体２７ｒの爪付き係止搬送チェーンが不要となり、前処理部の重量が軽減される。また、上述のように構成することによって、穀稈の引き渡し箇所が少なくなり、合流部２９において掻込みの乱れが生じることがなく扱深さ搬送体３０に搬送させることができる。
【００２１】
なお、上記実施の形態では、穀稈搬送装置を３条の穀稈を刈取るコンバインに適用して説明したが、これに限定されるものでなく、例えば４条や５条のコンバインに適用することもできる。
【００２２】
【発明の効果】
以上の説明から明らかなようにこの発明によれば、複数の引起こし装置２３によって引起こした穀稈を刈取り刃２８によって刈取り、刈取られた穀稈を左右及び中央の穀稈掻込み搬送体２７ｌ，２７ｒ，２７ｃを介して合流させた後、後部を支点に始端部が上下動する扱深さ搬送体３０によって脱穀機に供給するようにした３条刈りコンバインの穀稈搬送装置において、左側穀稈掻込み搬送体２７ｌを左側の株元を掻き込み搬送するスターホイル３１ｌと該スターホイル３１ｌ後方の左側株元挟持搬送チェーン３７ｌと穂先側を係止搬送する上下に配置された爪付き係止搬送チェーン４０ｌ，４１ｌとで構成すると共に、夫々の爪付き係止搬送チェーン４０ｌ，４１ｌを下方の伝動筒３８から動力を受けて回転駆動するように構成し、右側穀稈掻込み搬送体２７ｒを右側の株元を掻き込み搬送するスターホイル３１ｒと該スターホイル３１ｒ後方の右側株元挟持搬送チェーン３７ｒとで構成し、また扱深さ搬送体３０を株元挟持搬送チェーン４３と穂先係止搬送チェーン４４とで構成すると共に、上記右側株元挟持搬送チェーン３７ｒの終端側を前記株元挟持搬送チェーン４３の始端部まで延設する一方、扱深さ搬送体３０を構成する穂先係止搬送チェーン４４の始端部を右側株元挟持搬送チェーン３７ｒの上方に平面視で重なる状態で前記右側のスターホイル３１ｒの近傍まで延設し、該穂先係止搬送チェーン４４の始端部によって右側の穀稈掻込み搬送体２７ｒの穂先側係止搬送機能を兼用させて、前記中央穀稈掻込み搬送体２７ｃを構成する中央のスターホイル３１ｃ及び、左側のスターホイル３１ｌで掻き込み搬送された２条の穀稈は、上下に配置された複数の爪付き係止搬送チェーン４０ｌ，４１ｌ及び左側株元挟持搬送チェーン３７ｌによって合流部側へ搬送する一方、右側のスターホイル３１ｒで掻き込み搬送された１条の穀稈は、稈長に応じて上下する単一の穂先係止搬送チェーン４４の始端部及び右側株元挟持搬送チェーン３７ｒによって合流部側へ搬送するように構成したので、穀稈の搬送乱れを極力防止することができる。
【００２３】
また、前記扱深さ搬送体３０を構成する穂先係止搬送チェーン４４によって右側の掻込み搬送体２７ｒの穂先側係止搬送機能を兼用させたので、穀稈に長短があっても、その長短に応じて穂先係止搬送チェーン４４を昇降させることができ、穀稈の搬送に何ら影響がなく確実に搬送させることができる。
【図面の簡単な説明】
【図１】本発明の一実施の形態に係るコンバインの穀稈搬送装置を示す側面図である。
【図２】同上の平面図である。
【図３】従来のコンバインの穀稈搬送装置の一例を示す平面図である。
【符号の説明】
２３    引起こし装置
２７ｌ  左側穀稈掻込み搬送体
２７ｒ  右側穀稈掻込み搬送体
２８    刈取り刃
２９    合流部
３０    扱深さ搬送体
３１ｌ  左側のスターホイル
３１ｒ  右側のスターホイル
３７ｌ  左側株元挟持搬送チェーン
３７ｒ  右側株元挟持搬送チェーン
４１ｌ  爪付き係止搬送チェーン
４３    株元挟持搬送チェーン
４４    穂先係止搬送チェーン
４７    脱穀部フィードチェーン
【図１】
0003837009.tif 000002
【図２】
0003837009.tif 000003
【図３】
0003837009.tif 000004